(57)【要約】【課題】作業現場の壁面を傷つけないような内装工事等を実現でき、さらに首に負担がかからないようにされた作業用ベストを提供することを主要な目的とする。【解決手段】本発明にかかる作業用ベストにおいては、前身頃６ａに作業用具１、２、８を収納するための収納部７が設けられており、かつ首に接触する首周り部分が除去されてなる。このように構成することにより、前身頃６ａに作業用具が収納されており、この上から作業服を着ると、作業用具の鋭利な刃先が外部に露出しなくなる。そのため、これが作業現場の壁面に接触したとしても、壁面を傷つけない。また、首に接触する部分が除去されているため、作業用具の荷重が首にかからない。そのため、作業中、首が痛くならない。【選択図】  図１
2004190203.tif 000002
【特許請求の範囲】
【請求項１】
前身頃に作業用具を収納するための収納部が設けられており、かつ首に接触する首周り部分が除去されてなる作業用ベスト。
【請求項２】
その表面に作業用具を収納するための収納部が設けられた右前身頃部と左前身頃部と、
水平方向に延び、背中に当てるための背持たせ部と、
右の肩にかかるものであり、前記背持たせ部と前記右前身頃部の上部を接続する右側肩掛け部と、
左の肩にかかるものであり、前記背持たせ部と前記左前身頃部の上部を接続する左側肩掛け部と、
前記背持たせ部と前記右前身頃部の右側壁部を接続する右側接続部と、
前記背持たせ部と前記左前身頃部の左側壁部を接続する左側接続部と、を備えた、作業用ベスト。
【請求項３】
その表面に作業用具を収納するための収納部が設けられた右前身頃部と左前身頃部と、
前記右前身頃部の上端から延び、右肩および背中を通り、前記左前身頃部の左側壁部に接続される右側肩掛け部と、
前記左前身頃部の上端から延び、左肩および背中を通り、前記右前身頃部の右側壁部に接続される左側肩掛け部と、を備えた、作業用ベスト。
【請求項４】
着衣したときに、右前身頃部の左側壁部と左前身頃部の右側壁部を結合するための結合手段をさらに備える、請求項１から３のいずれか1項に記載の作業用ベスト。
【請求項５】
右前身頃部および左前身頃部の少なくとも一方の前面には、前記収納部を覆うようにカバーが設けられており、
前記カバーは、上部に開口部を有するように、その両側壁部と底部が固着されて新たな収納部を形成している、請求項１から４のいずれか１項に記載の作業用ベスト。
【発明の詳細な説明】
【０００１】
【発明の属する技術分野】
この発明は一般に作業用ベストに関するものであり、より特定的には、作業現場の壁面を傷つけないような内装工事等を実現でき、さらに首に負担がかからないようにされた作業用ベストに関する。
【０００２】
【従来の技術】
マンションで室内の照明器具や空調器等を取り付けるときは、ビス類、テープ、ドライバ、ペンチ、ニッパ、圧着器、トンカチなどの作業用具を用いて行う。
【０００３】
図７を参照して、従来、作業工事を行う作業者は、ドライバ１、ペンチ２、ニッパ、圧着器、トンカチ３を収納した皮製のベルト４を腰に巻いて、現場に向かう。
【０００４】
しかしながら、腰の弱い人には、作業用具を収納したベルト４は重く、腰に負担がかかり腰痛の原因となっていた。
【０００５】
また、このようなベルト４を使用する場合においては、マンションで内装工事をしているときに、ニッパ、等の鋭利な刃先が露出しているため、これが室内の壁面に接触し、壁面にスジをつけてしまい、顧客の苦情が生じるという問題もあった。
【０００６】
さらに、作業用具の鋭利な刃先が露出しているために、作業現場に行くまでに幅の狭い場所を通過しなければならないときにも、その通路の両側の壁面に傷をつけ、顧客の隣人にも迷惑をかけるという問題があった。このような問題は、上述した作業用具収納用のベルトを肩にかけるようにしても生じ、肩から斜めにかけるようにしても生じる。
【０００７】
また、作業服のポケットに作業用具を収納させた場合には、その重さのため、首に負担がかかり、作業中、首の痛みに悩まされるという深刻な問題があった。
【０００８】
したがって、これらの問題を解決することが広く要望されていた。
【０００９】
一方、作業服の改良に関しては、着衣物を着衣した個人の管理を安全、確実に行うように、作業服の外表面にバーコードを取り付けるなどの工夫がなされているが、上述のような現場における問題点の解決を意図するものではなかった（例えば、特許文献１参照）。
【特許文献１】
特開２００１−３２９４１１号公報
【００１０】
【発明が解決しようとする課題】
それゆえに、この発明の目的は、作業現場の壁面を傷つけないような作業を実現することのできる作業用ベストを提供することにある。
【００１１】
この発明の他の目的は、腰の弱い人でも作業用具を現場に持参し、作業できることを実現させる作業用ベストを提供することにある。
【００１２】
この発明のさらに他の目的は、作業現場に行くまでに面積の狭い場所を通過しなければならない時でも、その通路を構成する壁面等に外傷を与えない通行を実現できる作業用ベストを提供することにある。
【００１３】
この発明のさらに他の目的は、マンションで内装工事をする場合にお客様の苦情が出ないような工事を実現することのできる作業用ベストを提供することにある。
【００１４】
この発明のさらに他の目的は、首に負担がかからないように改良された作業用ベストを提供することにある。
【００１５】
【課題を解決するための手段】
この発明の第１の局面に従う作業用ベストは、前身頃に作業用具を収納するための収納部が設けられており、かつ首に接触する首周り部分が除去されている。
【００１６】
この発明によれば、前身頃に作業用具が収納されており、この上から作業服を着ると、作業用具の鋭利な刃先が外部に露出しなくなる。そのため、これが作業現場の壁面に接触したとしても、壁面を傷つけない。
【００１７】
また、首に接触する部分が除去されているため、作業用具の荷重が首にかからない。そのため、首に負担がかからない。
【００１８】
この発明の第２の局面に従う作業用ベストは、その表面に作業用具を収納するための収納部が設けられた右前身頃部と左前身頃部とを備える。当該作業用ベストは、さらに、水平方向に延び、背中に当てるための背持たせ部を備える。右側肩掛け部は右の肩にかかるものであり、上記背持たせ部と上記右前身頃部の上部を接続する。左側肩掛け部は、左の肩にかかるものであり、上記背持たせ部と上記左前身頃部の上部を接続する。上記背持たせ部と上記右前身頃部の右側壁部を右側接続部が接続する。上記背持たせ部と上記左前身頃部の左側壁部を左側接続部が接続する。
【００１９】
この発明によれば、上記右前身頃部に収納された作業用具の荷重は、右肩および背中にかかり、上記左前身頃部に収納された作業用具の荷重は、上記左肩および背中にかかる。したがって首に負担がかからない。
【００２０】
この発明の第３の局面に従う作業用ベストは、その表面に作業用具を収納するための収納部が設けられた右前身頃部と左前身頃部と、上記右前身頃部の上端から延び、右肩および背中を通り、上記左前身頃部の左側壁部に接続される右側肩掛け部と、上記左前身頃部の上端から延び、左肩および背中を通り、上記右前身頃部の右側壁部に接続される左側肩掛け部とを備えている。
【００２１】
この発明によれば、上記右前身頃部に収納された作業用具の荷重は、右肩および背中にかかり、上記左前身頃部に収納された作業用具の荷重は、左肩および背中にかかる。したがって首に負担がかからない。
【００２２】
この発明の好ましい実施態様によれば、着衣したときに、上記右前身頃部の左側壁部と上記左前身頃部の右側壁部を結合するための結合手段をさらに備える。この結合手段を結合させることにより、上記右前身頃部および上記左前身頃部を前で閉じることができる。
【００２３】
この発明のさらに好ましい実施態様によれば、右前身頃部および左前身頃部の少なくとも一方の前面には、上記収納部を覆うようにカバーが設けられており、上記カバーは、上部に開口部を有するように、その両側壁部と底部が固着されて新たな収納部を形成している。このカバーを設けることにより、作業用具をさらに多く収納することができる。
【００２４】
この発明において、上記収納部は、上部に開口部を有するポケットにすることができる。ポケットのうち、長手の作業用具を容れる場合には、斜めに配置することが好ましい。斜めに配置することによって、長手の作業用具を邪魔にならないように収納でき、また、取り出しが容易となる。
【００２５】
また、上記ポケットの開口部を開閉可能にする開閉手段を設けてもよい。この開閉手段を設けることにより、作業中に屈み込んだとしても、ポケット内に収納されている作業用具は抜け落ちない。
【００２６】
この発明において、上記右前身頃部、上記左前身頃部、上記背持たせ部、上記右側肩掛け部、上記左側肩掛け部、上記右側接続部および上記左側接続部は、皮革製またはジーンズ製あるいは耐久性の合成繊維製の生地で構成するのが好ましい。皮革製またはジーンズ製あるいは耐久性のある合成繊維製の生地を用いることにより、耐久性を向上させることができる。
【００２７】
この発明において、上記右前身頃部、上記左前身頃部、上記背持たせ部、上記右側肩掛け部、上記左側肩掛け部、上記右側接続部および上記左側接続部は、メッシュの生地で構成してもよい。メッシュの生地を用いることにより、通気性を向上させることができる。
【００２８】
【発明の実施の形態】
以下、この発明の実施の形態を、図を用いて説明する。
【００２９】
（実施の形態１）
【００３０】
図１は、実施の形態１にかかる作業用ベストを着衣したときの正面図であり、図２は背面図である。
【００３１】
これらの図を参照して、作業用ベスト５は、前身頃６ａ，６ｂに作業用具を収納するための収納部７が設けられており、かつ首に接触する首周り部分が除去されている。収納部７は、例えば、ポケットで形成され、ドライバ１、ペンチ２、圧着器８等を収納する。なお、収納部７としては、ポケットに限られず、ドライバ１、ペンチ２、圧着器８等の作業用具を固定できるものなら、いかなるもので構成してもよい。
【００３２】
本実施の形態にかかる作業用ベスト５を使用すると、前身頃６ａ，６ｂに作業用具が収納されていても、この上から作業服（図示せず）を着ると、作業用具の鋭利な刃先が作業服の内部に隠れ、外部に露出しなくなる。そのため、作業現場の壁面に接触したとしても、壁面を傷つけない。その結果、マンションの電気工事、内装工事において、顧客に迷惑をかけない。
【００３３】
また、この作業用ベスト５を使用すると、首に接触する部分である首周りが図のように除去されているため、作業用具の荷重が首にかからない。そのため、首の痛みに悩まされることなく、作業を行うことが出来る。
【００３４】
本実施の形態にかかる作業用ベストについて、構造をさらに詳細に説明する。
【００３５】
図１および図２を再度参照して、作業用ベスト５は、その表面に作業用具を収納するための収納部７が設けられた右前身頃部６ａと左前身頃部６ｂとを備える。作業用ベスト５は、また、水平方向に延び、背中に当てるための背持たせ部９を含む。作業用ベスト５は、背持たせ部９と右前身頃部６ａの上部を接続する右側肩掛け部１０ａを含む。右側肩掛け部１０ａは右の肩にかかる。
【００３６】
作業用ベスト５は、さらに、背持たせ部９と左前身頃部６ｂの上部を接続する左側肩掛け部１０ｂを備える。左側肩掛け部１０ｂは左の肩にかかる。背持たせ部９と右前身頃部６ａの右側壁部を、斜めに延びる右側接続部１１ａが接続する。背持たせ部９と左前身頃部６ｂの左側壁部を、斜めに延びる左側接続部１１ｂが接続する。
【００３７】
図１および図２から明らかなように、右前身頃部６ａに収納された作業用具の荷重は、右肩および背中にかかり、左前身頃部６ｂに収納された作業用具の荷重は、上記左肩および背中にかかり、首には荷重が全くかからない。その結果、首が痛くならない。また、腰にも負担をかけないので、腰痛持ちの人でも、作業を快適に行うことが出来る。
【００３８】
なお、本実施の形態、および以下の実施の形態において、右前身頃部６ａ、左前身頃部６ｂ、背持たせ部９、右側肩掛け部１０ａ、左側肩掛け部１０ｂ、右側接続部１１ａおよび左側接続部１１ｂが一体化された場合を例示しているが、これらのパーツを別々に作成し、それらを縫い合わせてもよい。
【００３９】
右前身頃部６ａ、左前身頃部６ｂ、背持たせ部９、右側肩掛け部１０ａ、左側肩掛け部１０ｂ、右側接続部１１ａおよび左側接続部１１ｂは、皮革製またはジーンズ製あるいは耐久性のある合成繊維製の生地で構成するのが好ましい。皮革製またはジーンズ製あるいは耐久性のある合成繊維製の生地を用いることにより、耐久性を向上させることができる。
【００４０】
本実施の形態にかかる作業用ベストは、結合手段であるボタン１４とボタン穴１５を備える。作業用ベスト５を着衣したときに、ボタン１４とボタン穴１５を結合させることにより、右前身頃部６ａおよび左前身頃部６ｂを前で閉じることができる。右前身頃部６ａおよび左前身頃部６ｂを前で閉じることにより、作業用具を安定して保持することができる。結合手段としては、ボタン１４とボタン穴１５に限らず、あらゆる留め具を使用できる。
【００４１】
なお、長手の作業用具、例えば圧着器８を入れる収納部７は、斜めに配置されている。斜めに配置することによって長手の作業用具の収納、取り出しが容易となる。
【００４２】
（実施の形態２）
【００４３】
図３は実施の形態２にかかる作業用ベストの部分拡大図である。図３は、図１における、圧着器８を入れる収納部７を拡大して示した図である。その他の構成は、図１および図２と同じである。
【００４４】
実施の形態２にかかる作業用ベストは、収納部７の上部開口部を開閉可能にする開閉手段を備える。開閉手段としてスナップ１６が用いられている。このようなスナップ１６を設けることにより、作業中に屈み込んだとしても、収納部７内に収納されている圧着器８は抜け落ちない。なお、圧着器８を入れる収納部７にスナップ１６を付ける場合を例示したが、ペンチ２等を収納する他の収納部７のそれぞれにスナップ１６を付けるのも好ましい。
【００４５】
開閉手段として、スナップを例示したが、これに限られるものでなく、ボタンとボタン穴、ホック、マジックテープ（Ｒ）等も好ましく用いられる。
【００４６】
（実施の形態３）
【００４７】
図４は実施の形態３にかかる作業用ベストの正面図である。図４に示す作業用ベストは以下の点を除いて、図１に示す作業用ベストと同一であるので、同一または相当する部分には同一の参照番号を付し、その説明を繰り返さない。
【００４８】
図４を参照して、右前身頃部６ａおよび左前身頃部６ｂの少なくとも一方の前面には、収納部７を覆うようにカバ１３ーが設けられている。カバー１３は、上部に開口部を有するように、その両側壁部と底部が前身頃に固着されて、新たな収納部を形成している。このようなカバー１３を設けると、収納部が増加するので、作業用具をさらに多く収納することができる。カバー１３を皮革製またはジーンズ製あるいは耐久性のある合成繊維製の生地を用いて形成することにより、耐久性を向上させることができる。
【００４９】
(実施の形態４)
【００５０】
図５は、実施の形態４にかかる作業用ベストの正面図である。実施の形態４にかかる作業用ベストは以下の点を除いて、図１に示す作業用ベストと同一であるので、同一または相当する部分には同一の参照番号を付し、その説明を繰り返さない。
【００５１】
本実施の形態にかかる作業用ベストによれば、右前身頃部６ａ、左前身頃部６ｂ、背持たせ部９、右側肩掛け部１０ａ、左側肩掛け部１０ｂ、右側接続部１１ａおよび左側接続部１１ｂを、メッシュで構成している。メッシュの生地を用いることにより、通気性を持たせることができる。その結果、夏場の作業に快適である。生地として、皮革製またはジーンズ製あるいは耐久性のある合成繊維製の生地を用いることにより、耐久性を向上させることができる。
【００５２】
（実施の形態５）
【００５３】
図６は、実施の形態５にかかる作業用ベストの背面図である。正面図は、図１に示すものと同じであるので、図示を省略する。
【００５４】
図６と図１を参照して、本実施の形態にかかる作業用ベストは、その表面に作業用具を収納するための収納部が設けられた右前身頃部６ａと左前身頃部６ｂを備える。右前身頃部６ａの上端から延びる右側肩掛け部１７ａは、右肩および背中を通り、左前身頃部６ｂの左側壁部に接続される。左前身頃部６ｂの上端から延びる左側肩掛け部１７ｂは、左肩および背中を通り、右前身頃部６ａの右側壁部に接続される。右側肩掛け部１７ａと左側肩掛け部１７ｂは、背中でクロスしている。右側肩掛け部１７ａと左側肩掛け部１７ｂは、点線で表しているように縫い付けることにより、ずれを防止することが出来る。これらは、皮革製またはジーンズ製あるいは耐久性のある合成繊維製の生地で構成すると耐久性が向上する。
【００５５】
上述のように構成しても、右前身頃部６ａに収納された作業用具の荷重は、右肩および背中にかかり、左前身頃部６ｂに収納された作業用具の荷重は、左肩および背中にかかり、首には全く負担がかからない。
【００５６】
なお、上記実施の形態では、マンション室内の電気工事、内装工事に使用する作業用ベストを例示したが、この発明はこれに限定されるものでなく、塗装作業において使用する作業用ベストにも適用できる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５８】
【発明の効果】
この発明に従う作業用ベストによれば、前身頃に作業用具が収納されており、この上から作業服を着ると、作業用具の鋭利な刃先が外部に露出しなくなる。そのため、これが作業現場の壁面に接触したとしても、壁面を傷つけない。また、首に接触する部分が除去されているため、作業用具の荷重が首にかからない。そのため、作業中、首に痛みを生じない。
【図面の簡単な説明】
【図１】実施の形態１にかかる作業用ベストを着衣したときの正面図
【図２】実施の形態１にかかる作業用ベストを着衣したときの背面図
【図３】実施の形態２にかかる作業用ベストの部分拡大図
【図４】実施の形態３にかかる作業用ベストの正面図
【図５】実施の形態４にかかる作業用ベストの正面図
【図６】実施の形態５にかかる作業用ベストの背面図
【図７】従来の作業用具収納ベルトを説明するための図
【符号の説明】
１  ドライバ、２  ペンチ、５  作業用ベスト、６ａ  右前身頃、６ｂ  左前身頃、７  収納部、８圧着器、１２ポケット、１４  ボタン、１５  ボタン穴。
【図１】
2004190203.tif 000003
【図２】
2004190203.tif 000004
【図３】
2004190203.tif 000005
【図４】
2004190203.tif 000006
【図５】
2004190203.tif 000007
【図６】
2004190203.tif 000008
【図７】
2004190203.tif 000009